(57)【特許請求の範囲】
【請求項１】
オフセット印刷機または凸版印刷機のインキング装置を構成するアクリロニトリル−ブタジェンゴムまたはポリウレタンエラストマーから成るゴムローラーにおいて、該ゴムローラーの幅方向の両端が研磨され、該研磨部分に、該ゴムローラーの表面の硬さより硬く、その硬さの差が、ＪＩＳ−Ｋ−６３０１のスプリング式硬さ試験に準拠した硬度で１０度〜２５度のアクリロニトリル−ブタジェンゴムまたはポリウレタンエラストマー若しくは不職布にプラスチックを含浸させた高硬度のシートのいずれか一つが巻き付けられ、該両端以外の中央部と同面一に設けられたことを特徴とする印刷インキ用ゴムローラー。
【請求項２】
前記ゴムローラーの幅方向の両端は、インキが付着される印刷版の回転方向に対しその両端の非画像部の領域に相当することを特徴とする請求項１記載の印刷インキ用ゴムローラー。
【発明の詳細な説明】
【０００１】
【発明の属する技術分野】
本発明は、オフセット印刷機や凸版印刷機に使用する印刷インキ用ゴムローラーに関するものであり、特に両端部にインキカス等が付着しない印刷インキ用ゴムローラーに関する。
【０００２】
【従来の技術】
オフセット印刷機や凸版印刷機のインキング装置として、例えば図３に示すように、多数のローラー群が配されていて、インキ（１０）をそれらローラー群を介して版胴（２２）に装着された印刷版（２０）の画像部に付着させるものが一般的である。そのローラー群のうち、例えばインキ壺（１１）の後の呼出しローラー（１３）、各振りローラー（１４）間にある練りローラー（１５）、および印刷版（２０）にインキを着ける４本の着けローラー（１６）は、表面にゴムが施されているゴムローラーでなっていて、それら以外の振りローラー（１４）等の表面は、銅メッキされた金属ローラーかあるいはエボナイトやリルサン（ナイロン様の硬いプラスチック）が巻かれている硬いローラーでなっている。
【０００３】
上記ゴムローラーのうち、呼出しローラー（１３）と練りローラー（１５）群の表面の硬さ（ＪＩＳ−Ｋ−６３０１のスプリング式硬さ試験に準拠した硬度）は、４０〜４５度の範囲のものが使用され、印刷版（２０）に直接触れる着けローラー（１６）は、３５〜４０度の範囲のものが一般的に使用されている。このようにこれらゴムローラーは、インキの転移性を考慮して硬度の小さい（柔らかい）ものを使用していて、特に着けローラー（１６）は、それら練りローラー（１５）等に比較して更に硬度の小さい（柔らかい）ものを用いているのは、印刷版（２０）へのインキの転移性とともにショックを与えないように硬度で調整しているものである。
【０００４】
ところが上記ゴムローラーは経時によって全体に硬くなって細くなり、インキの転移性が悪くなって、左右端部にインキが寄るようになり、それがインキ滓となって両端部に付着・蓄積されると、画像部へのインキ着肉不良や非画像部にもインキが付着したりする不良品の発生や、ゴムロール等の着脱がしにくくなったり、その洗浄に多くの時間を要するという問題があった。このように印刷画像部への影響は特に印刷版（２０）に直接触れる着けローラー（１６）の経時変化による問題が大きい。
【０００５】
上記のようなゴムローラーの両端のインキ滓等の付着・蓄積を防止する手段として、例えば図４（ａ）に示すように、印刷インキ用ゴムローラー（１）の左右端部のコーナー（１ｋ）を数ｍｍカットしたものや、図４（ｂ）に示すように、印刷インキ用ゴムローラー（１）の左右端面（１ｔ）をロールの中心から数ｍｍカットしたものが実在しているが、いずれもが左右両端へのインキ滓等の付着・蓄積の防止としては効果が乏しいものであった。
【０００６】
【発明が解決しようとする課題】
本発明は、かかる従来技術の問題点を解決するものであり、その課題とするところは、インキング装置を構成する印刷インキ用ゴムローラーで、経時で硬くなって細くなったローラーにおいてもその両端部にインキ滓等が付着・蓄積せず、よって印刷不良の発生がなく、脱着が容易でかつその洗浄時間を短縮できる印刷インキ用ゴムローラーを提供することにある。
【０００７】
【課題を解決するための手段】
本発明に於いて上記課題を達成するために、まず請求項１の発明では、オフセット印刷機または凸版印刷機のインキング装置を構成するアクリロニトリル−ブタジェンゴムまたはポリウレタンエラストマーから成るゴムローラーにおいて、該ゴムローラーの幅方向の両端が研磨され、該研磨部分に、該ゴムローラーの表面の硬さより硬く、その硬さの差が、ＪＩＳ−Ｋ−６３０１のスプリング式硬さ試験に準拠した硬度で１０度〜２５度のアクリロニトリル−ブタジェンゴムまたはポリウレタンエラストマー若しくは不職布にプラスチックを含浸させた高硬度のシートのいずれか一つが巻き付けられ、該両端以外の中央部と同面一に設けられたことを特徴とする印刷インキ用ゴムローラーとしたものである。
【０００８】
上記請求項１の発明によれば、ゴムローラーの幅方向の両端表面の硬さが、この両端以外の中央部表面の硬さより硬いので、経時で中央部が硬くなって細くなっても、硬い両端部のゴムローラがインキが寄っていくのを防ぐので、両端部にインキ滓等の付着・蓄積がなく、よって非画像部にもインキが付くなどの印刷不良がなく、ゴムローラーの着脱を容易にし、かつその洗浄時間を短縮できる印刷インキ用ゴムローラーとすることができる。
【００１０】
また、ゴムローラーの幅方向の両端表面の硬さと両端以外の中央部表面の硬さの差が、１０度〜２５度の範囲内とすることによって、この範囲内では両端部へのインキ滓等の付着・蓄積が少なく、２５度を越えると中央部が柔らか過ぎて、特に印刷版に直接触れる着けローラーでは画像部のシャープ性等を悪くし、逆に１０度に満たないとインキ滓等の付着・蓄積を防ぐことができないので好ましくない。
【００１１】
さらにまた、請求項２の発明では、前記ゴムローラーの幅方向の両端は、インキが付着される印刷版の回転方向に対しその両端の非画像部の領域に相当することを特徴とする請求項１記載の印刷インキ用ゴムローラーとしたものである。
【００１２】
上記請求項２の発明によれば、硬度を大きく（硬く）した幅方向の両端部が、印刷版の画像部に掛からないので、画像部へのインキ量（濃度）の供給を均一化することができる。この両端部が画像部に掛かるとこの部分のインキ量が少なくなるので、印刷濃度も他の部分より小さくなるので好ましくない。
【００１３】
【発明の実施の形態】
以下本発明の実施の形態を説明する。
本発明は、オフセット印刷機や凸版印刷機の印刷インキ用ゴムローラーに関するものであり、具体的には、図３の側面図に示すように、例えばインキング装置（１００）を構成するもので、インキ壺（１１）中の壺ローラー（１２）よりインキ（１０）を呼び出す呼出しローラー（１３）、各振りローラー（１４）間の練りローラー（１５）、および印刷版（２０）にインキを付着せしめる４本の着けローラー（１６）が本発明の印刷インキ用ゴムローラーの対象となる。
【００１４】
上記本発明の印刷インキ用ゴムローラーは、図１の正面図に示すように、例えばゴムローラーの幅方向（Ｗ）の左右端部（１ａ）の表面の硬さが、この左右端部（１ａ）以外の中央部（１ｂ）の表面の硬さより硬い印刷インキ用ゴムローラー（１）であり、その左右端部（１ａ）の表面の硬さと中央部（１ｂ）の表面の硬さの差が、ＪＩＳ−Ｋ−６３０１のスプリング式硬さ試験に準拠した硬度で１０度〜２５度の範囲とするものである。
【００１５】
また、本発明では、図２の模式図に示すように、例えば印刷インキ用ゴムローラー（１）の幅方向（Ｗ）の左右端部（１ａ）の幅（Ｈ）は、版胴（図示せず）に巻かれた印刷版（２０）の回転方向（Ｐ）に対し両端の非画像部（２０ａ）の領域に相当するものとし、少なくとも印刷版（２０）の画像部（２０ｂ）が通過する領域以外とする必要がある。
【００１６】
具体的には、上記左右端部（１ａ）の幅（Ｈ）として、印刷版（２０）の回転方向（Ｐ）に対し両端の非画像部（２０ａ）の幅であり、７ｍｍ程度が一般的である。このように、印刷インキ用ゴムローラー（１）の左右端部（１ａ）の硬度を中央部（１ｂ）より硬くすると、この左右端部（１ａ）ではインキの転移性が悪くなり、例えばこの左右端部（１ａ）が印刷版（２０）の画像部（２０ｂ）に掛かる（図３に示す着けローラー（１６）の場合は接触する）と、この部分のインキ着肉量が少なくなる可能性があるので好ましくない。
【００１７】
本発明の印刷インキ用ゴムローラー（１）の表面は、アクリロニトリル−ブタジェンゴム（ＮＢＲ）が主に使用され、場合によってはポリウレタンエラストマーの成形によりできていて、例えば図３に示す着けローラー（１６）の中央部（１ｂ）での初期の硬度で３５度〜４０度、練りローラー（１５）、呼出しローラー（１３）の中央部（１ｂ）での初期の硬度で４０度〜４５度とし、左右端部（１ａ）での初期硬度は、着けローラー（１６）で６０度〜６５度、練りローラー（１５）、呼出しローラー（１３）で６５度〜７０度に仕立て、左右端部（１ａ）と中央部（１ｂ）の硬度の差が３０度以下に仕立てておく。
【００１８】
このような初期硬度の印刷インキ用ゴムローラー（１）が経時（印刷作業による）で、例えば着けローラー（１６）の中央部（１ｂ）で５５度〜６０度程度まで硬くなってニップ（幅）が細くなり、左右端部（１ａ）が６５度〜７０度と僅かに硬くなって、その硬度の差が１０度となる。この段階でこのけローラー（１６）の交換（実質的にはゴムの巻き直し）が必要となる。これ以上の経時では、表面が硬くなりすぎて、着けローラー（１６）のインキ転移性が悪くなり、印刷版（２０）へのショックが大きくなって印刷版（２０）の耐刷力を下げ、かつ左右端部（１ａ）横の端面へのインキ付着・蓄積を防止できなくなる。
【００１９】
また、同様に経時で例えば練りローラー（１５）、呼出しローラー（１３）の中央部（１ｂ）で５５度〜６０度程度まで硬くなってローラーのニップ（幅）が細くなり、左右端部（１ａ）が６８度〜７３度と僅かに硬くなって、その硬度の差が１３度近くになる。この場合まだ左右端面へのインキ付着・蓄積は防げるが、インキの転移性の点からこの程度で練りローラー（１５）、呼出しローラー（１３）を交換（ゴムの巻き直し）した方がよい。
【００２０】
本発明の印刷インキ用ゴムローラー（１）において、その左右端部（１ａ）は、中央部（１ｂ）とは別に、硬度の高いアクリロニトリル−ブタジェンゴム（ＮＢＲ）や場合によってはポリウレタンエラストマーで直接成形するか、あるいは、従来のゴムローラーの左右端部の必要幅を研磨して、再度この部分に硬度の高いゴムを巻いて同一面一にする方法がある。
【００２１】
また、その左右端部（１ａ）の表面の材質としては、例えば上記ゴムの他に不織布にプラスチックを含浸させた高硬度のシートなどを巻き付けてもよい。
【００２２】
【実施例】
次に実施例により、本発明を具体的に説明する。
〈実施例１〉
アクリロニトリル−ブタジェンゴム（ＮＢＲ）でなり、ＪＩＳ−Ｋ−６３０１のスプリング式硬さ試験に準拠した初期硬度で３５度のゴムローラーを用いて、図２に示すように、その左右端部（１ａ）の幅（Ｈ）７ｍｍを深さ３ｍｍまで研磨し、その研磨された部分に、ヒッキースイーパーＷロール（テクノロール社製）の表面シートを中央部（１ｂ）と同面一になるように巻いて印刷インキ用ゴムローラー（１）とした。この左右端部（１ａ）の硬度は６０度であった。
【００２３】
上記で得られた印刷インキ用ゴムローラー（１）を、図３に示すオフセット印刷機のインキング装置（１００）の４本の着けローラー（１６）として装着して印刷を行った。
【００２４】
その結果として、１２ヶ月後の経時で、この着けローラー（１６）の中央部（１ｂ）の硬度は４０度で、左右端部（１ａ）の硬度は６２度でその差は２２度であった。
【００２５】
この実施例１での印刷では、当初から１２ヶ月後の経時においても、この着けローラー（１６）の左右端面へのインキ滓等の付着・蓄積が殆どなく、ローラーの着脱が容易で、かつその洗浄が容易で短縮されるものであった。さらに非画像部の汚れ等（但しこのローラーに起因するもの）の不良品は皆無であった。
【００２６】
〈比較例１〉
左右端部を加工しない着けローラー（１６）とした以外は、実施例１と同様にして印刷を行った。
【００２７】
その結果として、１２ヶ月後の経時で、この着けローラー（１６）の中央部（１ｂ）での硬度は同じ４０度で、左右端部（１ａ）の硬度は同様に４０度でニップの変化が大きかった。
【００２８】
上記比較例１での印刷では、当初からこの着けローラー（１６）の左右端面へのインキ滓等の付着・蓄積があり、この付着・蓄積の程度が経時とともに多くなり、またこの着けローラー（１６）の着脱が困難で、かつこの洗浄に多くの時間を要した。さらにまた印刷物の非画像部の汚れや画像部の濃度ムラ等（但しこのローラーに起因するもの）の不良品が時々見られた。
【００２９】
【発明の効果】
本発明は以上の構成であるから、下記に示す如き効果がある。
即ち、オフセット印刷機または凸版印刷機のインキング装置を構成するゴムローラーにおいて、このゴムローラーの幅方向の両端部表面の硬さが、この両端部以外の中央部表面の硬さより硬いので、経時で中央部が硬くなってニップ（幅）が細くなっても、両端部の硬い部分にインキが寄ってくるのを防ぐので、その両端部にインキ滓等の付着・蓄積がなくなり、よって非画像部にもインキが付くなどの印刷不良がなく、このローラーの着脱を容易にし、かつその洗浄時間を短縮できる印刷インキ用ゴムローラーとすることができる。
【００３０】
また本発明によれば、ゴムローラーの幅方向の両端表面の硬さと両端以外の中央部表面の硬さの差が、１０度〜２５度の範囲内とすることによって、この範囲内では両端部へのインキ滓等の付着・蓄積が少なく、２５度を越えると中央部が柔らか過ぎて、特に印刷版に直接触れる着けローラーでは画像部のシャープ性等を悪くし、逆に１０度に満たないとインキ滓等の付着・蓄積を防ぐことができないので好ましくない。
【００３１】
さらにまた、本発明では、このゴムローラーの幅方向の両端を、インキが付着される印刷版の回転方向に対しその両端の非画像部の領域に相当するようにすることによって、硬度を大きく（硬く）した幅方向の両端部が、印刷版の画像部に掛からないので、画像部へのインキ量（濃度）の供給を均一化することができる。
【００３２】
従って本発明は、オフセット印刷機や凸版印刷機のインキング装置を構成るゴムローラーで、印刷画像を安定させ、ローラーの着脱やその洗浄時間の短縮に貢献する印刷インキ用ゴムローラーとして、優れた実用上の効果を発揮する。
【図面の簡単な説明】
【図１】本発明の印刷インキ用ゴムローラーの一実施の形態を正面で表した説明図である。
【図２】本発明の印刷インキ用ゴムローラーの一実施の形態と、使用される印刷版との関係を説明する模式図である。
【図３】本発明の印刷インキ用ゴムローラーに係わるインキング装置の一事例を側面で表した説明図である。
【図４】従来の印刷インキ用ゴムローラーを説明する正面図で、
（ａ）は、その一事例であり、
（ｂ）は、他の事例である。
【符号の説明】
１‥‥印刷インキ用ゴムローラー
１ａ‥‥印刷インキ用ゴムローラーの左右端部
１ｂ‥‥印刷インキ用ゴムローラーの中央部
１ｋ‥‥印刷インキ用ゴムローラーの左右端面コーナー
１ｔ‥‥印刷インキ用ゴムローラーの左右端面
１０‥‥インキ
１１‥‥インキ壺
１２‥‥壺ローラー
１３‥‥呼出しローラー
１４‥‥振りローラー
１５‥‥練りローラー
１６‥‥着けローラー
１７‥‥ライダー
２０‥‥印刷版
２０ａ‥‥非画像部
２０ｂ‥‥画像部
２２‥‥版胴
１００‥‥インキング装置
Ｈ‥‥左右端部の幅
Ｐ‥‥印刷版の回転方向
Ｗ‥‥印刷インキ用ゴムローラーの幅方向
【図１】
0004423822.tif 000002
【図２】
0004423822.tif 000003
【図３】
0004423822.tif 000004
【図４】
0004423822.tif 000005